(57)【要約】  本発明は、使用者が簡便に携帯しながら時間と場所に縛られずに高い伝送効率で受電装置に無線で電力を送信できるようにするものであって、直流電力を貯蔵する電力貯蔵部と、前記電力貯蔵部に貯蔵された直流電力により動作して受電装置に無線で電力を送信する電力送信部とを含む、無線電力送信装置に関する。
2015506657.tif 000002
【特許請求の範囲】
【請求項１】
直流電力を貯蔵する電力貯蔵部と、
前記電力貯蔵部に貯蔵された直流電力により動作して受電装置に無線で電力を送信する電力送信部とを含む、無線電力送信装置。
【請求項２】
前記電力貯蔵部及び前記電力送信部は、それぞれのケースに分離して構成され、互いにケーブルで接続される、請求項１に記載の無線電力送信装置。
【請求項３】
前記電力貯蔵部及び前記電力送信部は、１つのケースに一体に構成される、請求項１に記載の無線電力送信装置。
【請求項４】
前記電力貯蔵部及び前記電力送信部は、それぞれのケースに分離して構成され、互いにスライド式で結合される、請求項１に記載の無線電力送信装置。
【請求項５】
前記電力貯蔵部は、
外部の交流電力を直流電力に変換する交流／直流コンバータと、
直流電力を貯蔵して貯蔵した直流電力を前記電力送信部に出力するバッテリと、
前記交流／直流コンバータが変換した直流電力を前記電力送信部の制御により前記バッテリに充電させる充電部とを含む、請求項１に記載の無線電力送信装置。
【請求項６】
前記電力貯蔵部は、
外部の交流電力を無線受信する電力受信コイルと、
前記電力受信コイルが受信した交流電力を直流電力に整流する整流部と、
直流電力を貯蔵して貯蔵した直流電力を前記電力送信部に出力するバッテリと、
前記整流部が整流した直流電力を前記電力送信部の制御により前記バッテリに充電させる充電部とを含む、請求項１に記載の無線電力送信装置。
【請求項７】
前記電力貯蔵部は、
外部の交流電力を直流電力に変換する交流／直流コンバータと、
前記交流／直流コンバータと前記充電部との間に備えられ、前記電力送信部の制御によりスイッチングされる電力送信スイッチとをさらに含む、請求項６に記載の無線電力送信装置。
【請求項８】
前記電力貯蔵部は、
外部の無線電力送信装置が送信する信号を前記電力受信コイルを介して受信して前記電力送信部に提供する第１信号受信部と、
前記電力送信部が発生する信号を前記電力受信コイルを介して外部に送信する第１信号送信部とをさらに含む、請求項６に記載の無線電力送信装置。
【請求項９】
前記電力送信部は、
無線で交流電力を送信する電力送信コイルと、
前記電力送信コイルに交流電力を供給して送信するように制御する電力送信制御部とを含む、請求項１に記載の無線電力送信装置。
【請求項１０】
前記電力送信部は、
前記電力送信制御部が発生するＰＷＭ駆動信号を増幅する駆動ドライバと、
前記駆動ドライバが増幅したＰＷＭ信号に基づいて前記電力貯蔵部に貯蔵された直流電力をスイッチングして交流電力を生成し、生成した交流電力を前記電力送信コイルに供給する直列共振型コンバータとをさらに含む、請求項９に記載の無線電力送信装置。
【請求項１１】
前記電力送信部は、
前記受電装置が送信する信号を前記電力送信コイルを介して受信して前記電力送信制御部に提供する第２信号受信部と、
前記電力送信制御部が発生する信号を前記電力送信コイルを介して前記受電装置に送信する第２信号送信部とをさらに含む、請求項９に記載の無線電力送信装置。
【請求項１２】
外部から電力受信コイルで受信される電力を電力送信制御部の制御によりバッテリに充電させる段階と、
前記バッテリに充電された電力を前記電力送信制御部の制御により電力送信コイルに供給して外部に無線で送信する段階とを含む、無線電力送信方法。
【請求項１３】
前記外部から電力受信コイルで受信される電力を電力送信制御部の制御によりバッテリに充電させる段階は、
ＩＤ要求信号が受信された場合、前記電力送信制御部がＩＤ信号を送信し、前記電力受信コイルを介して電力が受信されるか否かを判断する段階と、
前記電力が受信された場合、受信された電力を前記バッテリに充電する段階とを含む、請求項１２に記載の無線電力送信方法。
【請求項１４】
外部から電力受信コイルで電力が受信されない場合、前記電力送信制御部が交流／直流コンバータの出力電力を前記バッテリに充電させる段階をさらに含む、請求項１２に記載の無線電力送信方法。
【請求項１５】
前記電力送信制御部が前記バッテリの電力充電状態を判断する段階と、
前記電力送信制御部が前記電力充電状態を含む充電状態信号を発生して前記電力受信コイルを介して外部に送信する段階とをさらに含む、請求項１２に記載の無線電力送信方法。
【請求項１６】
前記バッテリに充電された電力を前記電力送信制御部の制御により電力送信コイルに供給して外部に無線で送信する段階は、
前記電力送信コイルを介して受電装置を検出する段階と、
前記受電装置が検出された場合、前記電力送信制御部の制御により前記バッテリに充電された電力を交流電力に変換し、変換した交流電力を前記電力送信コイルに供給して外部に無線で送信する段階とを含む、請求項１２に記載の無線電力送信方法。
【請求項１７】
外部に無線で電力を送信して無線で電力を受信する電力送信コイルと、
前記電力送信コイルで受信される電力を貯蔵する電力貯蔵部と、
前記電力送信コイルで受信される電力が前記電力貯蔵部に貯蔵されるように制御し、前記電力貯蔵部に貯蔵された電力を前記電力送信コイルに供給して外部に無線で電力を送信する電力送信制御部とを含む、無線電力送信装置。
【請求項１８】
前記電力貯蔵部は、
前記電力送信コイルが受信する電力を直流電力に整流する整流部と、
電力を貯蔵するバッテリと、
前記整流部が整流した直流電力を前記電力送信制御部の制御により前記バッテリに充電させる充電部とを含む、請求項１７に記載の無線電力送信装置。
【請求項１９】
前記電力貯蔵部は、
交流電力を直流電力に変換する交流／直流コンバータと、
前記交流／直流コンバータが変換した直流電力を前記電力送信制御部の制御により前記充電部に出力する電力送信スイッチとをさらに含む、請求項１８に記載の無線電力送信装置。
【請求項２０】
前記電力貯蔵部は、
前記電力送信制御部が発生するＰＷＭ駆動信号を増幅する駆動ドライバと、
前記駆動ドライバが増幅したＰＷＭ駆動信号に基づいて前記電力貯蔵部に貯蔵された直流電力をスイッチングして交流電力を生成し、生成した交流電力を前記電力送信コイルに供給する直列共振型コンバータと、
前記電力送信制御部の制御によりスイッチングされ、前記直列共振型コンバータが生成した交流電力を前記電力送信コイルに供給し、前記電力送信コイルが受信する電力を前記電力貯蔵部に出力する送信／受信スイッチとをさらに含む、請求項１７に記載の無線電力送信装置。
【請求項２１】
外部から電力送信コイルを介して受信される電力を電力送信制御部の制御により電力貯蔵部が貯蔵する段階と、
前記電力貯蔵部が貯蔵した電力を前記電力送信制御部の制御により前記電力送信コイルに供給して外部に無線で送信する段階とを含む、無線電力送信方法。
【請求項２２】
前記外部から電力送信コイルを介して受信される電力を電力送信制御部の制御により電力貯蔵部が貯蔵する段階は、
ＩＤ要求信号が受信された場合、前記電力送信制御部が電力送信コイルを介してＩＤ信号を送信し、前記電力送信コイルを介して電力が受信されるか否かを判断する段階と、
前記電力が受信された場合、受信された電力をバッテリに充電する段階とを含む、請求項２１に記載の無線電力送信方法。
【請求項２３】
外部から電力送信コイルで電力が受信されない場合、前記電力送信制御部が交流／直流コンバータの出力電力をバッテリに充電させる段階をさらに含む、請求項２１に記載の無線電力送信方法。
【請求項２４】
前記電力送信制御部がバッテリの電力充電状態を判断する段階と、
前記電力送信制御部が前記電力充電状態を含む充電状態信号を発生して前記電力受信コイルを介して外部に送信する段階とをさらに含む、請求項２１に記載の無線電力送信方法。
【請求項２５】
前記電力貯蔵部が貯蔵した電力を前記電力送信制御部の制御により前記電力送信コイルに供給して外部に無線で送信する段階は、
前記電力送信コイルを介して受電装置を検出する段階と、
前記受電装置が検出された場合、前記電力送信制御部の制御によりバッテリに充電された電力を前記電力送信コイルに供給して外部に無線で送信する段階とを含む、請求項２１に記載の無線電力送信方法。
【発明の詳細な説明】
【技術分野】
【０００１】
本発明は、使用者が簡便に携帯しながら時間と場所に縛られずに受電装置に無線で電力を送信して充電させる無線電力送信装置及び方法に関する。
【背景技術】
【０００２】
一般に、携帯電話やＰＤＡ（Personal Digital Assistant）などの各種携帯用端末機には、動作電力を供給するための受電装置が取り付けられている。
【０００３】
前記受電装置は、外部の充電装置から供給される電力を充電し、充電した電力を前記携帯用端末機に動作電力として供給する。
【０００４】
このような受電装置は、電力を充電するバッテリや、外部の充電装置から供給される電力を入力して前記バッテリに充電させ、前記バッテリに充電された電力を放電させて前記携帯用端末機に動作電力として供給する充放電回路などを含む。
【０００５】
前記充電装置と前記受電装置とを電気的に接続する方式としては、前記充電装置の電力出力端子と前記受電装置の電力入力端子とをケーブルやコネクタなどを介して直接接続する端子接続方式が知られている。
【０００６】
前記充電装置の電力出力端子と前記受電装置の電力入力端子とは異なる電位を有する。
【０００７】
よって、前記充電装置の電力出力端子と前記受電装置の電力入力端子とを接続又は分離する際には、電位差により瞬間放電現象が発生し得る。
【０００８】
前記瞬間放電現象は、前記充電装置の端子及び前記受電装置の端子を摩耗させる。また、前記充電装置の端子及び前記受電装置の端子に異物が溜まっている場合は、前記瞬間放電現象により、前記異物が発熱して火災などの事故が発生する恐れがあった。
【０００９】
また、湿気などにより、前記受電装置のバッテリに充電された電力が当該受電装置の端子から外部に自然放電され、それにより、前記受電装置の使用寿命の短縮や使用性能の低下を招くという問題があった。
【００１０】
近年、このような端子接続方式の様々な問題を解決するために、受電装置に無線で電力を送信する無線電力送信装置が提示されている。
【００１１】
前記無線電力送信装置は、例えば電磁誘導方式を用いて無線で電力を送信する。また、前記受電装置は、前記無線電力送信装置が無線で送信する電力を受信し、受信した電力をバッテリに充電させる。
【００１２】
前記無線電力送信装置は安定かつ高効率に無線で電力を送信することができるようにし、かつ、前記受電装置は前記無線電力送信装置が送信する電力を最大限受信してバッテリに充電させることができるようにするために多くの努力がなされている。
【００１３】
このような無線電力送信装置は、通常外部から入力される交流電力により動作して受電装置に無線で電力を送信する。
【００１４】
よって、外部から交流電力が供給される場所でのみ受電装置に無線で電力を送信することができ、交流電力が供給されない場所では受電装置に無線で電力を送信することができなかった。
【発明の概要】
【発明が解決しようとする課題】
【００１５】
本発明が解決しようとする課題は、使用者が簡便に携帯しながら時間と場所に縛られずに受電装置に無線で電力を送信することのできる無線電力送信装置及び方法を提供することにある。
【００１６】
また、本発明が解決しようとする課題は、電力貯蔵部に電力を充電させ、電力貯蔵部に充電させた電力を用いて受電装置に無線で電力を送信することのできる無線電力送信装置及び方法を提供することにある。
【００１７】
さらに、本発明が解決しようとする課題は、外部から有線又は無線で電力を入力して電力貯蔵部に充電させる無線電力送信装置及び方法を提供することにある。
【００１８】
本発明が解決しようとする課題は上記技術的課題に限定されず、言及していない技術的課題は本発明の属する技術の分野における通常の知識を有する者であれば以下の記載から明確に理解できるであろう。
【課題を解決するための手段】
【００１９】
本発明による無線電力送信装置は、直流電力を貯蔵する電力貯蔵部と、前記電力貯蔵部に貯蔵された直流電力により動作して受電装置に無線で電力を送信する電力送信部とを含んでもよい。
【００２０】
前記電力貯蔵部及び前記電力送信部は、それぞれのケースに分離して構成され、互いにケーブルで接続されてもよい。
【００２１】
前記電力貯蔵部及び前記電力送信部は、１つのケースに一体に構成されてもよい。
【００２２】
前記電力貯蔵部及び前記電力送信部は、それぞれのケースに分離して構成され、互いにスライド式で結合されてもよい。
【００２３】
前記電力貯蔵部は、外部の交流電力を直流電力に変換する交流／直流コンバータと、直流電力を貯蔵して貯蔵した直流電力を前記電力送信部に出力するバッテリと、前記交流／直流コンバータが変換した直流電力を前記電力送信部の制御により前記バッテリに充電させる充電部とを含んでもよい。
【００２４】
前記電力貯蔵部は、外部の交流電力を無線受信する電力受信コイルと、前記電力受信コイルが受信した交流電力を直流電力に整流する整流部と、直流電力を貯蔵して貯蔵した直流電力を前記電力送信部に出力するバッテリと、前記整流部が整流した直流電力を前記電力送信部の制御により前記バッテリに充電させる充電部とを含んでもよい。
【００２５】
前記電力貯蔵部は、外部の交流電力を直流電力に変換する交流／直流コンバータと、前記交流／直流コンバータと前記充電部との間に備えられ、前記電力送信部の制御によりスイッチングされる電力送信スイッチとをさらに含んでもよい。
【００２６】
前記電力貯蔵部は、外部の無線電力送信装置が送信する信号を前記電力受信コイルを介して受信して前記電力送信部に提供する第１信号受信部と、前記電力送信部が発生する信号を前記電力受信コイルを介して外部に送信する第１信号送信部とをさらに含んでもよい。
【００２７】
前記電力送信部は、無線で交流電力を送信する電力送信コイルと、前記電力送信コイルに交流電力を供給して送信するように制御する電力送信制御部とを含んでもよい。
【００２８】
前記電力送信部は、前記電力送信制御部が発生するＰＷＭ（Pulse Width Modulation）駆動信号を増幅する駆動ドライバと、前記駆動ドライバが増幅したＰＷＭ信号に基づいて前記電力貯蔵部に貯蔵された直流電力をスイッチングして交流電力を生成し、生成した交流電力を前記電力送信コイルに供給する直列共振型コンバータとをさらに含んでもよい。
【００２９】
前記電力送信部は、前記受電装置が送信する信号を前記電力送信コイルを介して受信して前記電力送信制御部に提供する第２信号受信部と、前記電力送信制御部が発生する信号を前記電力送信コイルを介して前記受電装置に送信する第２信号送信部とをさらに含んでもよい。
【００３０】
そして、本発明による無線電力送信方法は、外部から電力受信コイルで受信される電力を電力送信制御部の制御によりバッテリに充電させる段階と、前記バッテリに充電された電力を前記電力送信制御部の制御により電力送信コイルに供給して外部に無線で送信する段階とを含んでもよい。
【００３１】
前記外部から電力受信コイルで受信される電力を電力送信制御部の制御によりバッテリに充電させる段階は、ＩＤ要求信号が受信された場合、前記電力送信制御部がＩＤ信号を送信し、前記電力受信コイルを介して電力が受信されるか否かを判断する段階と、前記電力が受信された場合、受信された電力を前記バッテリに充電する段階とを含んでもよい。
【００３２】
また、本発明は、外部から電力受信コイルで電力が受信されない場合、前記電力送信制御部が交流／直流コンバータの出力電力を前記バッテリに充電させる段階をさらに含んでもよい。
【００３３】
また、本発明は、前記電力送信制御部が前記バッテリの電力充電状態を判断する段階と、前記電力送信制御部が前記電力充電状態を含む充電状態信号を発生して前記電力受信コイルを介して外部に送信する段階とをさらに含んでもよい。
【００３４】
前記バッテリに充電された電力を前記電力送信制御部の制御により電力送信コイルに供給して外部に無線で送信する段階は、前記電力送信コイルを介して受電装置を検出する段階と、前記受電装置が検出された場合、前記電力送信制御部の制御により前記バッテリに充電された電力を交流電力に変換し、変換した交流電力を前記電力送信コイルに供給して外部に無線で送信する段階とを含んでもよい。
【００３５】
そして、本発明による無線電力送信装置は、外部に無線で電力を送信して無線で電力を受信する電力送信コイルと、前記電力送信コイルで受信される電力を貯蔵する電力貯蔵部と、前記電力送信コイルで受信される電力が前記電力貯蔵部に貯蔵されるように制御し、前記電力貯蔵部に貯蔵された電力を前記電力送信コイルに供給して外部に無線で電力を送信する電力送信制御部とを含んでもよい。
【００３６】
前記電力貯蔵部は、前記電力送信コイルが受信する電力を直流電力に整流する整流部と、電力を貯蔵するバッテリと、前記整流部が整流した直流電力を前記電力送信制御部の制御により前記バッテリに充電させる充電部とを含んでもよい。
【００３７】
前記電力貯蔵部は、交流電力を直流電力に変換する交流／直流コンバータと、前記交流／直流コンバータが変換した直流電力を前記電力送信制御部の制御により前記充電部に出力する電力送信スイッチとをさらに含んでもよい。
【００３８】
また、本発明による無線電力送信装置は、前記電力送信制御部が発生するＰＷＭ駆動信号を増幅する駆動ドライバと、前記駆動ドライバが増幅したＰＷＭ駆動信号に基づいて前記電力貯蔵部に貯蔵された直流電力をスイッチングして交流電力を生成し、生成した交流電力を前記電力送信コイルに供給する直列共振型コンバータと、前記電力送信制御部の制御によりスイッチングされ、前記直列共振型コンバータが生成した交流電力を前記電力送信コイルに供給し、前記電力送信コイルが受信する電力を前記電力貯蔵部に出力する送信／受信スイッチとをさらに含んでもよい。
【００３９】
そして、本発明による無線電力送信方法は、外部から電力送信コイルを介して受信される電力を電力送信制御部の制御により電力貯蔵部が貯蔵する段階と、前記電力貯蔵部が貯蔵した電力を前記電力送信制御部の制御により前記電力送信コイルに供給して外部に無線で送信する段階とを含んでもよい。
【００４０】
前記外部から電力送信コイルを介して受信される電力を電力送信制御部の制御により電力貯蔵部が貯蔵する段階は、ＩＤ要求信号が受信された場合、前記電力送信制御部が電力送信コイルを介してＩＤ信号を送信し、前記電力送信コイルを介して電力が受信されるか否かを判断する段階と、前記電力が受信された場合、受信された電力を前記バッテリに充電する段階とを含んでもよい。
【００４１】
また、本発明による無線電力送信方法は、外部から電力送信コイルで電力が受信されない場合、前記電力送信制御部が交流／直流コンバータの出力電力を前記バッテリに充電させる段階をさらに含んでもよい。
【００４２】
また、本発明による無線電力送信方法は、前記電力送信制御部が前記バッテリの電力充電状態を判断する段階と、前記電力送信制御部が前記電力充電状態を含む充電状態信号を発生して前記電力受信コイルを介して外部に送信する段階とをさらに含んでもよい。
【００４３】
前記電力貯蔵部が貯蔵した電力を前記電力送信制御部の制御により前記電力送信コイルに供給して外部に無線で送信する段階は、前記電力送信コイルを介して受電装置を検出する段階と、前記受電装置が検出された場合、前記電力送信制御部の制御により前記バッテリに充電された電力を前記電力送信コイルに供給して外部に無線で送信する段階とを含んでもよい。
【発明の効果】
【００４４】
本発明による無線電力送信装置においては、電力貯蔵部を備えて電力を充電し、電力貯蔵部に充電した電力で電力送信部を動作させて受電装置に無線で電力を送信する。
【００４５】
従って、使用者は無線電力送信装置を簡便に携帯しながら時間と場所に縛られずに受電装置に無線で電力を送信することができる。
【図面の簡単な説明】
【００４６】
以下、添付図面を参照して本発明を実施形態により詳細に説明するが、これは本発明を限定するものではない。なお、一部の図においては、同一構成要素に同一符号を付す。
【００４７】
【図１】本発明の一実施形態による無線電力送信装置の構成を示すブロック図である。
【図２ａ】本発明の一実施形態による無線電力送信装置の使用例を説明するための図である。
【図２ｂ】本発明の一実施形態による無線電力送信装置の使用例を説明するための図である。
【図２ｃ】本発明の一実施形態による無線電力送信装置の使用例を説明するための図である。
【図３】本発明の一実施形態による無線電力送信方法における電力送信制御部の動作を示す信号フロー図である。
【図４】本発明による無線電力送信方法における電力送信動作を示す信号フロー図である。
【図５】本発明の他の実施形態による無線電力送信装置の構成を示すブロック図である。
【図６ａ】本発明の他の実施形態による無線電力送信装置の使用例を説明するための図である。
【図６ｂ】本発明の他の実施形態による無線電力送信装置の使用例を説明するための図である。
【図６ｃ】本発明の他の実施形態による無線電力送信装置の使用例を説明するための図である。
【図７】本発明の他の実施形態による無線電力送信方法における電力送信制御部の動作を示す信号フロー図である。
【図８】本発明のさらに他の実施形態による無線電力送信装置の構成を示すブロック図である。
【図９ａ】本発明のさらに他の実施形態による無線電力送信装置の使用例を説明するための図である。
【図９ｂ】本発明のさらに他の実施形態による無線電力送信装置の使用例を説明するための図である。
【図９ｃ】本発明のさらに他の実施形態による無線電力送信装置の使用例を説明するための図である。
【図１０】本発明のさらに他の実施形態による無線電力送信方法における電力送信制御部の動作を示す信号フロー図である。
【発明を実施するための形態】
【００４８】
以下、本発明の実施形態を詳細に説明するが、これは例示に過ぎない。なお、本発明の原理と概念は有用かつ容易な説明を目的として提供される。
【００４９】
よって、本発明の基本的な理解のための必要以上の詳細な構造は提供せず、本発明の属する技術の分野における通常の知識を有する者が実施できる本発明の様々な実施形態を図面に例示して説明する。
【００５０】
図１は本発明の一実施形態による無線電力送信装置の構成を示すブロック図である。ここで、符号１００は電力を貯蔵する電力貯蔵部であり、符号２００は電力貯蔵部１００に貯蔵された電力により動作して受電装置（図示せず）に無線で電力を送信する電力送信部である。
【００５１】
電力貯蔵部１００は、交流／直流コンバータ１１０と、充電部１２０と、バッテリ１３０とを含んでもよい。
【００５２】
交流／直流コンバータ１１０は、外部から電源プラグＰなどを介して入力される交流電力を直流電力に変換する。
【００５３】
充電部１２０は、交流／直流コンバータ１１０から出力される直流電力を電力送信部２００の制御によりバッテリ１３０に充電させ、バッテリ１３０の電力充電情報を電力送信部２００に提供する。
【００５４】
バッテリ１３０は、充電された電力を電力送信部２００に動作電力として供給する。
【００５５】
電力送信部２００は、電力送信制御部２１０と、駆動ドライバ２２０と、直列共振型コンバータ２３０と、複数の電力送信コイル２４０（２４０−１、２４０−２）と、信号受信部２５０と、信号送信部２６０とを含んでもよい。
【００５６】
電力送信制御部２１０は、ＩＤ要求信号を発生して受電装置にＩＤ信号を要求し、前記受電装置からＩＤ信号を受信すると、駆動信号を発生して前記受電装置に無線で電力を送信することを制御する。例えば、電力送信制御部２１０は、ＰＷＭ駆動信号を発生して前記受電装置に無線で電力を送信することを制御する。
【００５７】
また、電力送信制御部２１０は、前記受電装置から充電状態信号を受信すると、受信した充電状態信号に基づいて前記受電装置に無線で電力を送信することを制御する。
【００５８】
駆動ドライバ２２０は、電力送信制御部２１０が発生するＰＷＭ駆動信号を増幅する。
【００５９】
直列共振型コンバータ２３０は、駆動ドライバ２２０が増幅したＰＷＭ駆動信号に基づいて、電力貯蔵部１００が供給する直流電力をスイッチングして交流電力を発生し、発生した交流電力を電力送信コイル２４０に出力して前記受電装置に無線で電力が送信されるようにする。
【００６０】
信号受信部２５０は、前記受電装置が送信するＩＤ信号及び充電状態信号を、電力送信コイル２４０を介して受信して電力送信制御部２１０に出力する。
【００６１】
信号送信部２６０は、電力送信制御部２１０が発生するＩＤ要求信号を、電力送信コイル２４０を介して前記受電装置に送信する。
【００６２】
このように構成された本発明の一実施形態による無線電力送信装置においては、外部から電源プラグＰを介して交流電力が入力されると、電力貯蔵部１００の交流／直流コンバータ１１０は、交流電力を直流電力に変換し、変換した直流電力を充電部１２０に出力する。
【００６３】
電力送信部２００の電力送信制御部２１０は、充電部１２０を監視して交流／直流コンバータ１１０から直流電力が入力されるか否かを判断し、直流電力が入力された場合、電力送信制御部２１０は、充電部１２０を制御して直流電力をバッテリ１３０に充電させる。
【００６４】
また、電力送信制御部２１０は、充電部１２０から電力充電情報を入力してバッテリ１３０の電力充電状態を判断する。バッテリ１３０の電力充電が完了したと判断された場合、電力送信制御部２１０は、充電部１２０を制御して電力充電を中止させ、バッテリ１３０に過電力が充電されないようにする。
【００６５】
このようにしてバッテリ１３０に充電された電力は、電力送信部２００に動作電力として供給される。
【００６６】
一方、電力送信部２００の電力送信制御部２１０が受電装置に無線で電力を送信するためには、まず、電力送信コイル２４０の上部に受電装置が載置されているか否かを判断しなければならない。
【００６７】
このために、電力送信制御部２１０は、電力送信コイル２４０の負荷に変動が発生したか否かを検出するための負荷検出駆動信号を発生する。前記負荷検出駆動信号は、駆動ドライバ２２０で増幅されて直列共振型コンバータ２３０に入力される。
【００６８】
すると、直列共振型コンバータ２３０は、前記負荷検出駆動信号に基づいて、バッテリ１３０から供給される動作電力をスイッチングして交流電力を発生し、発生した交流電力は電力送信コイル２４０に供給される。
【００６９】
ここで、前記負荷検出駆動信号は、電力送信コイル２４０に共振が発生しない周波数、例えば約１８０ｋＨｚの高い周波数を有する。
【００７０】
よって、直列共振型コンバータ２３０が前記負荷検出駆動信号に基づいて直流電力をスイッチングして交流電力を発生し、発生した交流電力が電力送信コイル２４０に供給されても、電力送信コイル２４０には共振が発生しないので、電力消費が非常に低く、交流電力の無線送信がほとんど行われない。
【００７１】
この状態で、信号受信部２５０は、電力送信コイル２４０の信号を受信し、受信した信号を電力送信制御部２１０に出力する。電力送信制御部２１０は、信号受信部２５０から入力される受信信号の周波数を用いて負荷の変動が発生したか否かを判断する。
【００７２】
すなわち、電力送信コイル２４０の上部に負荷が載置されていない場合は、電力送信コイル２４０に供給される交流電力の周波数はほとんど変化しない。
【００７３】
それに対し、電力送信コイル２４０の上部に負荷が載置されている場合は、電力送信コイル２４０と負荷間のインピーダンスが変化し、そのインピーダンスの変化に応じて電力送信コイル２４０に供給される交流電力の周波数が変化する。
【００７４】
電力送信制御部２１０は、信号受信部２５０から入力される信号の周波数が変化したか否かを判断し、周波数が変化した場合、電力送信コイル２４０の上部に前記受電装置などの負荷が載置されたと判断する。
【００７５】
すなわち、電力送信制御部２１０は、信号受信部２５０から入力される信号の周波数と前記負荷検出駆動信号の周波数とが異なる場合、電力送信コイル２４０の上部に負荷が載置されたと判断する。
【００７６】
電力送信制御部２１０は、電力送信コイル２４０の上部に負荷が載置されたと判断された場合、前記負荷が受電装置であるか否かを判断しなければならない。
【００７７】
このために、電力送信制御部２１０は、受電装置のＩＤ信号を要求するＩＤ要求信号を発生し、発生したＩＤ要求信号は信号送信部２６０及び電力送信コイル２４０を介して負荷に送信される。
【００７８】
そして、電力送信制御部２１０は、信号受信部２５０の信号を入力し、ＩＤ信号が受信されるか否かを判断する。
【００７９】
すなわち、電力送信コイル２４０の上部に載置された負荷が受電装置の場合、前記受電装置は、前記ＩＤ要求信号に応答してＩＤ信号を送信する。前記受電装置が送信するＩＤ信号は、電力送信コイル２４０を介して信号受信部２５０に受信されて電力送信制御部２１０に出力されるものであり、電力送信制御部２１０は、信号受信部２５０の信号を入力し、ＩＤ信号が受信されるか否かを判断する。
【００８０】
電力送信制御部２１０は、前記ＩＤ信号を受信した場合、電力送信コイル２４０の上部に載置された負荷が受電装置であると判断する。すると、電力送信制御部２１０は、無線で電力を送信するためのＰＷＭ駆動信号を発生し、発生したＰＷＭ駆動信号は駆動ドライバ２２０で増幅されて直列共振型コンバータ２３０に入力される。
【００８１】
直列共振型コンバータ２３０は、前記ＰＷＭ駆動信号に基づいて、バッテリ１３０の直流電力をスイッチングして交流電力を発生し、発生した交流電力は電力送信コイル２４０に供給される。
【００８２】
ここで、電力送信コイル２４０は、例えば１００ｋＨｚに共振するように設計されており、電力送信制御部２１０は、１００ｋＨｚの周波数を有するＰＷＭ駆動信号を発生する。
【００８３】
直列共振型コンバータ２３０は、１００ｋＨｚの前記ＰＷＭ駆動信号に基づいて直流電力をスイッチングして１００ｋＨｚの交流電力を発生し、発生した１００ｋＨｚの交流電力が電力送信コイル２４０に供給され、１００ｋＨｚの交流電力により電力送信コイル２４０に共振が発生する。
【００８４】
電力送信コイル２４０に共振が発生すると、電力送信コイル２４０に多くの電流が流れて前記受電装置に無線で交流電力が送信される。
【００８５】
この状態で、前記受電装置は、電力充電状態を検出して充電状態信号を発生し、発生した充電状態信号を送信する。電力送信制御部２１０は、信号受信部２５０が受信する充電状態信号を入力し、前記受電装置に過熱が発生したか否か、又は前記受電装置の電力充電が完了したか否かを判断する。
【００８６】
前記受電装置に過熱が発生したと判断された場合、電力送信制御部２１０は、ＰＷＭ制御信号の周波数を調整する。すなわち、電力送信制御部２１０は、電力送信コイル２４０の共振周波数から若干ずれた周波数のＰＷＭ制御信号を発生する。
【００８７】
電力送信制御部２１０がＰＷＭ制御信号の周波数を調整することにより、電力送信コイル２４０に供給される交流電力が電力送信コイル２４０の共振点位置から若干外れ、それにより電力送信コイル２４０から前記受電装置に無線送信される電力の強度が減少して前記受電装置での過熱が防止される。
【００８８】
そして、前記充電状態信号に基づいて前記受電装置の電力充電が完了したと判断された場合、電力送信制御部２１０は、ＰＷＭ駆動信号を発生せず、前記受電装置に無線で電力を送信する動作を終了する。
【００８９】
このような本発明の一実施形態による無線電力送信装置は、図２ａに示すように、電力貯蔵部１００と電力送信部２００をそれぞれ別途のケースに構成し、電源プラグＰを介して入力される交流電力を電力貯蔵部１００が直流電力に変換して充電するようにする。そして、電力貯蔵部１００と電力送信部２００をケーブルＣを介して接続し、電力貯蔵部１００に充電された直流電力が電力送信部２００に供給されるように構成することができる。
【００９０】
この場合、使用者は電力貯蔵部１００と電力送信部２００を分離して簡便に携帯し、前記受電装置に電力を充電させる場合に電力貯蔵部１００と電力送信部２００をケーブルＣで接続して使用することができる。
【００９１】
また、本発明の一実施形態による無線電力送信装置は、図２ｂに示すように、電力貯蔵部１００と電力送信部２００を１つのケースに一体に構成して使用することもできる。
【００９２】
さらに、本発明の一実施形態による無線電力送信装置は、図２ｃに示すように、電力貯蔵部１００と電力送信部２００を分離し、互いにスライド式で結合されるように構成することもできる。なお、電力貯蔵部１００と電力送信部２００をスライド式で結合する場合は、互いに接点（図示せず）を介して接続され、電力貯蔵部１００が電力送信部２００に動作電力を供給するように構成してもよい。
【００９３】
この場合、図２ａの場合と同様に、使用者は電力貯蔵部１００と電力送信部２００を分離して簡便に携帯し、前記受電装置に電力を充電させる場合に電力貯蔵部１００と電力送信部２００をスライド式で結合して使用することができる。
【００９４】
図３は本発明の一実施形態による無線電力送信方法における電力送信制御部の動作を示す信号フロー図である。図３を参照すると、電力送信制御部２１０は、充電部１２０の信号を入力する（Ｓ３００）。そして、電力送信制御部２１０は、充電部１２０の信号を用いて交流／直流コンバータ１１０から充電部１２０に直流電力が入力されるか否かを判断する（Ｓ３０２）。
【００９５】
交流／直流コンバータ１１０から充電部１２０に直流電力が入力されると判断された場合、電力送信制御部２１０は、充電部１２０を制御して直流電力をバッテリ１３０に充電させ（Ｓ３０４）、バッテリ１３０の充電が完了したか否かを判断する（Ｓ３０６）。
【００９６】
前記判断の結果、バッテリ１３０の充電が完了していない場合、電力送信制御部２１０は、ステップＳ３０２に戻り、充電部１２０を制御して交流／直流コンバータ１１０から入力される直流電力をバッテリ１３０に充電させ、バッテリ１３０の充電が完了したか否かを判断する動作を繰り返し行う。
【００９７】
この状態でバッテリ１３０の充電が完了すると、電力送信制御部２１０は、充電部１２０を制御してバッテリ１３０への直流電力の充電を中止させ（Ｓ３０８）、バッテリ１３０に過電力が充電されないようにする。
【００９８】
また、ステップＳ３０２において、交流／直流コンバータ１１０から充電部１２０に直流電力が入力されない場合、電力送信制御部２１０は、受電装置に無線で電力を送信する電力送信動作を行う（Ｓ３１０）。
【００９９】
このような本発明の一実施形態の説明においては、電力送信制御部２１０がバッテリ１３０に電力を充電させる動作と、電力送信コイル２４０を介して無線で電力を送信する動作を分けて説明した。
【０１００】
本発明の実施においては、電力送信制御部２１０がバッテリ１３０に電力を充電させる動作と、電力送信コイル２４０を介して無線で電力を送信する動作が同時に行われるように構成することもできる。
【０１０１】
前記電力送信動作においては、図４に示すように、電力送信制御部２１０が負荷の変動を検出するための負荷検出駆動信号を発生する（Ｓ４００）。
【０１０２】
電力送信制御部２１０が発生する負荷検出駆動信号は、駆動ドライバ２２０で増幅されて直列共振型コンバータ２３０に入力されるものであり、直列共振型コンバータ２３０は、前記負荷検出駆動信号に基づいて、バッテリ１３０の直流電力をスイッチングして交流電力を発生し、発生した交流電力は電力送信コイル２４０に供給される。
【０１０３】
この状態で、信号受信部２５０は、電力送信コイル２４０の信号を受信し、受信した信号を電力送信制御部２１０に出力する。
【０１０４】
電力送信制御部２１０は、信号受信部２５０から入力される信号の周波数を検出して負荷の変動が発生したか否かを判断する（Ｓ４０２）。
【０１０５】
前記判断の結果、負荷の変動が発生していない場合、電力送信制御部２１０は、ステップＳ３００に戻り、負荷の変動を検出するための負荷検出駆動信号を発生し、信号受信部２５０が受信する信号の周波数を検出して負荷の変動が発生したか否かを判断する動作を繰り返し行う。
【０１０６】
また、ステップＳ４０２において、負荷の変動が検出された場合、電力送信制御部２１０は、受電装置のＩＤ信号を要求するＩＤ要求信号を発生し、発生したＩＤ要求信号は信号送信部２６０及び電力送信コイル２４０を介して受電装置に送信される（Ｓ４０４）。
【０１０７】
この状態で、電力送信制御部２１０は、信号受信部２５０の受信信号を入力し、受電装置からＩＤ信号が受信されるか否かを判断する（Ｓ４０６）。
【０１０８】
前記判断の結果、ＩＤ信号が受信されていない場合、電力送信制御部２１０は、所定時間が経過したか否かを判断する（Ｓ４０８）。
【０１０９】
前記所定時間が経過していない場合は、ステップＳ４０６に戻り、受電装置からＩＤ信号が受信されるか否かを判断する動作を繰り返し行う。
【０１１０】
また、所定時間が経過してもＩＤ信号が受信されない場合は、電力送信コイル２４０の上部に受電装置ではなく異物が置かれたものであるので、電力送信制御部２１０は、ステップＳ３００に戻り、負荷検出駆動信号を発生する動作から繰り返し行う。
【０１１１】
さらに、所定時間が経過する前にＩＤ信号が受信された場合は、電力送信制御部２１０は、電力送信コイル２４０の上部に受電装置が載置されたと判断し、無線で電力を送信するためのＰＷＭ駆動信号を発生する（Ｓ４１０）。
【０１１２】
電力送信制御部２１０が発生するＰＷＭ駆動信号は、駆動ドライバ２２０で増幅された後に直列共振型コンバータ２３０に入力されて交流電力を発生させ、発生した交流電力は電力送信コイル２４０に供給されて前記受電装置に無線で電力が送信される。
【０１１３】
この状態で、電力送信制御部２１０は、信号受信部２５０を介して、前記受電装置が送信する充電状態信号を入力し（Ｓ４１２）、入力された充電状態信号を分析して前記受電装置に過熱が発生したか否かを判断する（Ｓ４１４）。
【０１１４】
前記判断の結果、前記受電装置に過熱が発生した場合、電力送信制御部２１０は、ＰＷＭ駆動信号の周波数を調整して過熱を防止する（Ｓ４１６）。
【０１１５】
そして、電力送信制御部２１０は、前記充電状態信号に基づいて前記受電装置の電力充電が完了したか否かを判断する（Ｓ４１８）。
【０１１６】
前記受電装置の電力充電が完了していない場合、電力送信制御部２１０は、ステップＳ４１２に戻り、前記受電装置が送信する充電状態信号を入力し、入力された充電状態信号に基づいて前記受電装置の電力充電が完了したか否かを判断し、前記受電装置の電力充電が完了した場合に電力を送信する動作を終了する。
【０１１７】
図５は本発明の他の実施形態による無線電力送信装置の構成を示すブロック図である。本発明の他の実施形態による無線電力送信装置は、前述した一実施形態の電力貯蔵部１００が、電力供給スイッチ１４０と、電力受信コイル１５０と、整流部１６０と、第１信号受信部１７０と、第１信号送信部１８０とをさらに含んでもよい。
【０１１８】
電力供給スイッチ１４０は、交流／直流コンバータ１１０と充電部１２０との間に備えられ、電力送信制御部２１０の制御によりスイッチングされて交流／直流コンバータ１１０から出力される直流電力が充電部１２０に入力又は遮断されるようにする。
【０１１９】
電力受信コイル１５０は、外部から無線で送信される交流電力を受信する。
【０１２０】
整流部１６０は、電力受信コイル１５０が受信する交流電力を直流電力に変換して充電部１２０に出力する。
【０１２１】
第１信号受信部１７０は、電力受信コイル１５０を介してＩＤ要求信号などを受信して電力送信制御部２１０に出力する。
【０１２２】
第１信号送信部１８０は、電力送信制御部２１０が発生するＩＤ信号及び充電状態信号を電力受信コイル１５０を介して外部に送信する。
【０１２３】
このような構成を有する本発明の他の実施形態による無線電力送信装置は、電力送信制御部２１０が電力供給スイッチ１４０を制御して接続させる。
【０１２４】
この状態で外部から電源プラグＰを介して入力される交流電力が交流／直流コンバータ１１０で直流電力に変換され、変換された直流電力は電力供給スイッチ１４０を介して充電部１２０に供給される。
【０１２５】
電力送信制御部２１０は、充電部１２０の信号を入力し、交流／直流コンバータ１１０から直流電力が入力されるか否かを判断し、直流電力が入力された場合、充電部１２０を制御して直流電力をバッテリ１３０に充電させる。
【０１２６】
そして、電力送信制御部２１０は、第１信号受信部１７０の受信信号を入力し、ＩＤ要求信号が受信されるか否かを判断する。
【０１２７】
すなわち、外部の他の無線電力送信装置（図示せず）が無線で電力信号を送信する場合、まずＩＤ要求信号を送信し、送信されたＩＤ要求信号は電力受信コイル１５０を介して第１信号受信部１７０に受信されて電力送信制御部２１０に入力される。電力送信制御部２１０は、第１信号受信部１７０の受信信号を入力し、ＩＤ要求信号が受信されるか否かを判断する。
【０１２８】
前記ＩＤ要求信号が受信された場合、電力送信制御部２１０は、まず、電力供給スイッチ１４０を開放し、交流／直流コンバータ１１０から出力される直流電力が充電部１２０に入力されないように遮断する。
【０１２９】
そして、電力送信制御部２１０は、電力送信制御部２１０自身に付与されている固有のＩＤ信号を発生し、発生したＩＤ信号は第１信号送信部１８０及び電力受信コイル１５０を介して外部の無線電力送信装置に送信される。
【０１３０】
この状態で外部の無線電力送信装置が無線で電力信号を送信すると、送信された電力信号を電力受信コイル１５０が受信し、受信された電力信号を整流部１６０が直流電力に変換して充電部１２０に出力する。
【０１３１】
この状態で、電力送信制御部２１０は、充電部１２０の信号を入力し、整流部１６０から充電部１２０に直流電力が入力されるか否かを確認する。前記確認の結果、充電部１２０に直流電力が入力される場合、電力送信制御部２１０は、充電部１２０を制御して直流電力をバッテリ１３０に充電させる。
【０１３２】
そして、電力送信制御部２１０は、充電部１２０の信号を入力してバッテリ１３０の電力充電状態を判断し、判断された電力充電状態を含む充電状態信号を発生する。前記発生した充電状態信号は、第１信号送信部１８０及び電力受信コイル１５０を介して外部に送信される。
【０１３３】
また、電力送信制御部２１０は、バッテリ１３０の電力充電が完了した場合、電力充電が完了したことを通知する充電状態信号を発生し、発生した充電状態信号は第１信号送信部１８０及び電力受信コイル１５０を介して外部に送信される。
【０１３４】
また、電力送信制御部２１０は、充電部１２０を制御してバッテリ１３０への直流電力の充電を中止させ、バッテリ１３０に過電力が充電されないようにする。
【０１３５】
一方、電力送信部２００が電力送信コイル２４０を介して外部の受電装置に無線で電力を送信する動作は、前述した一実施形態と同様であるので具体的な説明は省略する。
【０１３６】
このような本発明の他の実施形態による無線電力送信装置は、前述した一実施形態と同様に、図６ａに示すように、電力貯蔵部１００と電力送信部２００を分離し、電源プラグＰ又は電力受信コイル１５０を介して入力される交流電力を電力貯蔵部１００が直流電力に変換して充電するようにする。そして、電力貯蔵部１００と電力送信部２００をケーブルＣを介して接続し、電力貯蔵部１００に充電された直流電力が電力送信部２００に供給されるように構成することができる。
【０１３７】
また、本発明の他の実施形態による無線電力送信装置は、図６ｂに示すように、電力貯蔵部１００と電力送信部２００を１つのケースに一体に構成して使用することもできる。
【０１３８】
さらに、本発明の他の実施形態による無線電力送信装置は、図６ｃに示すように、電力貯蔵部１００と電力送信部２００を分離し、互いにスライド式で結合されるように構成することもできる。なお、電力貯蔵部１００と電力送信部２００をスライド式で結合する場合は、互いに接点（図示せず）を介して接続され、電力貯蔵部１００が電力送信部２００に動作電力を供給するように構成してもよい。
【０１３９】
このような本発明の他の実施形態を説明する上で、電力送信制御部２１０がバッテリ１３０に電力を充電させる動作と、電力送信コイル２４０を介して無線で電力を送信する動作を分けて説明した。
【０１４０】
本発明を実施する上では、電力送信制御部２１０がバッテリ１３０に電力を充電させる動作と、電力送信コイル２４０を介して無線で電力を送信する動作が同時に行われるように構成することもできる。
【０１４１】
図７は本発明の他の実施形態による無線電力送信方法における電力送信制御部２１０の動作を示す信号フロー図である。図７を参照すると、まず、電力送信制御部２１０は、電力供給スイッチ１４０を接続させる（Ｓ７００）。
【０１４２】
すると、外部から電源プラグＰを介して入力される交流電力が交流／直流コンバータ１１０で直流電力に変換され、変換された直流電力が電力供給スイッチ１４０を介して充電部１２０に入力される。
【０１４３】
この状態で、電力送信制御部２１０は、充電部１２０の信号を入力し（Ｓ７０２）、入力された充電部１２０の信号に基づいて直流電力が入力されるか否かを判断する（Ｓ７０４）。
【０１４４】
直流電力が入力されると判断された場合、電力送信制御部２１０は、充電部１２０を制御して直流電力をバッテリ１３０に充電させる（Ｓ７０６）。
【０１４５】
そして、電力送信制御部２１０は、バッテリ１３０への直流電力の充電が完了したか否かを判断し（Ｓ７０８）、充電が完了した場合にバッテリ１３０に直流電力を充電させる動作を終了する。
【０１４６】
一方、ステップＳ７０４において直流電力が入力されないか、又はステップＳ７０８において充電が完了していない場合、電力送信制御部２１０は、第１信号受信部１７０の受信信号を入力し、ＩＤ要求信号が受信されるか否かを判断する（Ｓ７１０）。
【０１４７】
前記ＩＤ要求信号が受信されていないと判断された場合、電力送信制御部２１０は、電力送信動作を行う（Ｓ７１２）。
【０１４８】
ここで、ステップＳ７１２の電力送信動作は、図４と同様であるので具体的な説明は省略する。
【０１４９】
また、ステップＳ７１０において、前記ＩＤ要求信号が受信されたと判断された場合、電力送信制御部２１０は、電力供給スイッチ１４０を開放し、交流／直流コンバータ１１０から出力される直流電力が充電部１２０に入力されないように遮断する（Ｓ７１４）。
【０１５０】
そして、電力送信制御部２１０は、固有のＩＤ信号を発生し、発生したＩＤ信号は第１信号送信部１８０及び電力受信コイル１５０を介して外部に送信される（Ｓ７１６）。
【０１５１】
この状態で、電力送信制御部２１０は、充電部１２０の信号を入力し（Ｓ７１８）、入力された充電部１２０の信号に基づいて直流電力が入力されるか否かを判断する（Ｓ７２０）。
【０１５２】
すなわち、外部の無線電力送信装置が無線で電力信号を送信すると、送信された電力信号を電力受信コイル１５０が受信し、受信された電力信号を整流部１６０が直流電力に変換して充電部１２０に出力し、電力送信制御部２１０は、充電部１２０の信号を入力し、整流部１６０から充電部１２０に直流電力が入力されるか否かを判断する。
【０１５３】
充電部１２０に直流電力が入力されると判断された場合、電力送信制御部２１０は、充電部１２０を制御して直流電力をバッテリ１３０に充電させる（Ｓ７２２）。
【０１５４】
そして、電力送信制御部２１０は、充電部１２０の信号を入力してバッテリ１３０の電力充電状態を判断し（Ｓ７２４）、バッテリ１３０の電力充電が完了したか否かを判断する（Ｓ７２６）。
【０１５５】
バッテリ１３０の電力充電が完了していない場合、電力送信制御部２１０は、バッテリ１３０の現在の電力充電状態を含む充電状態信号を発生し、発生した充電状態信号は第１信号送信部１８０及び電力受信コイル１５０を介して外部に送信され（Ｓ７２８）、ステップＳ７２４に戻り、バッテリ１３０の電力充電状態を判断する動作を繰り返し行う。
【０１５６】
この状態でバッテリ１３０の電力充電が完了すると、電力送信制御部２１０は、バッテリ１３０の電力充電完了情報を含む充電状態信号を発生し、発生した充電状態信号は電力受信コイル１５０を介して外部に送信される（Ｓ７３０）。
【０１５７】
そして、電力送信制御部２１０は、充電部１２０がバッテリ１３０に直流電力を充電させないように制御し（Ｓ７３２）、電力充電動作を終了する。
【０１５８】
図８は本発明のさらに他の実施形態による無線電力送信装置の構成を示すブロック図である。図８を参照すると、本発明のさらに他の実施形態は、整流部１６０及び直列共振型コンバータ２３０と電力送信コイル２４０との間に、電力送信制御部２１０により制御される送信／受信スイッチ２７０−１、２７０−２、２７０−３、２７０−４を備え、送信／受信スイッチ２７０−１、２７０−２、２７０−３、２７０−４のスイッチングにより電力送信コイル２４０が整流部１６０又は直列共振型コンバータ２３０に接続されるように構成される。
【０１５９】
すなわち、送信／受信スイッチ２７０−１、２７０−２、２７０−３、２７０−４の可動端子に電力送信コイル２４０が接続され、送信／受信スイッチ２７０−１、２７０−２、２７０−３、２７０−４の一側固定端子ａ１、ａ２、ａ３、ａ４が直列共振型コンバータ２３０の出力端子に接続され、送信／受信スイッチ２７０−１、２７０−２、２７０−３、２７０−４の他側固定端子ｂ１、ｂ２、ｂ３、ｂ４が整流部１６０の入力端子に接続される。
【０１６０】
このような構成を有する本発明のさらに他の実施形態による無線電力送信装置は、バッテリ１３０に電力を充電させる場合、まず、電力送信制御部２１０は、電力供給スイッチ１４０を接続させる。すると、外部から電源プラグＰを介して入力される交流電力が交流／直流コンバータ１１０で直流電力に変換され、電力供給スイッチ１４０を介して充電部１２０に入力される。
【０１６１】
この状態で、電力送信制御部２１０は、充電部１２０の信号を入力し、直流電力が入力されるか否かを判断し、直流電力が入力されると判断された場合、充電部１２０を制御して直流電力をバッテリ１３０に充電させる。
【０１６２】
そして、電力送信制御部２１０は、信号受信部２５０の受信信号を入力し、ＩＤ要求信号が受信されるか否かを判断する。
【０１６３】
前記ＩＤ要求信号が受信された場合、電力送信制御部２１０は、まず、電力供給スイッチ１４０を開放し、交流／直流コンバータ１１０から出力される直流電力が充電部１２０に入力されないように遮断する。
【０１６４】
そして、電力送信制御部２１０は、ＩＤ信号を発生し、発生したＩＤ信号は信号送信部２６０及び電力送信コイル２４０を介して送信される。また、電力送信制御部２１０は、送信／受信スイッチ２７０−１、２７０−２、２７０−３、２７０−４を制御して可動端子を他側固定端子ｂ１、ｂ２、ｂ３、ｂ４に接続させる。
【０１６５】
この状態で外部の無線電力送信装置が無線で電力を送信すると、送信される電力を電力送信コイル２４０が受信し、受信された電力を整流部１６０が直流電力に変換して充電部１２０に出力する。
【０１６６】
そして、電力送信制御部２１０は、充電部１２０の信号を入力し、整流部１６０から充電部１２０に直流電力が入力されるか否かを確認し、直流電力の入力が確認された場合、充電部１２０を制御して直流電力をバッテリ１３０に充電させる。
【０１６７】
そして、電力送信制御部２１０は、充電部１２０の信号に基づいてバッテリ１３０の電力充電状態を判断し、判断された電力充電状態を含む充電状態信号を発生する。前記発生した充電状態信号は、信号送信部２６０及び電力送信コイル２４０を介して外部に送信される。
【０１６８】
一方、電力送信部２００が外部に無線で電力を送信する場合、電力送信制御部２１０は、送信／受信スイッチ２７０−１、２７０−２、２７０−３、２７０−４を制御して可動端子を一側固定端子ａ１、ａ２、ａ３、ａ４に接続させる。
【０１６９】
このように送信／受信スイッチ２７０−１、２７０−２、２７０−３、２７０−４の可動端子を一側固定端子ａ１、ａ２、ａ３、ａ４に接続させた後に外部に無線で電力を送信する動作は、前述した一実施形態と同様であるので具体的な説明は省略する。
【０１７０】
このような本発明のさらに他の実施形態による無線電力送信装置は、前述した一実施形態及び他の実施形態と同様に、図９ａに示すように、電力貯蔵部１００と電力送信部２００を分離し、電源プラグＰ又は電力受信コイル２４０を介して入力される交流電力を電力貯蔵部１００が直流電力に変換して充電するようにする。
【０１７１】
そして、電力貯蔵部１００と電力送信部２００をケーブルＣを介して接続し、電力貯蔵部１００に充電された直流電力が電力送信部２００に供給されるように構成することができる。
【０１７２】
また、本発明のさらに他の実施形態による無線電力送信装置は、図９ｂに示すように、電力貯蔵部１００と電力送信部２００を１つのケースに一体に構成して使用することもできる。
【０１７３】
さらに、本発明のさらに他の実施形態による無線電力送信装置は、図９ｃに示すように、電力貯蔵部１００と電力送信部２００を分離し、互いにスライド式で結合されるように構成することもできる。なお、電力貯蔵部１００と電力送信部２００をスライド式で結合する場合は、互いに接点（図示せず）を介して接続され、電力貯蔵部１００が電力送信部２００に動作電力を供給するように構成してもよい。
【０１７４】
図１０は本発明のさらに他の実施形態による無線電力送信方法における電力送信制御部の動作を示す信号フロー図である。図１０を参照すると、まず、電力送信制御部２１０は、電力供給スイッチ１４０を接続させる（Ｓ１０００）。
【０１７５】
すると、交流／直流コンバータ１１０から出力される直流電力が電力供給スイッチ１４０を介して充電部１２０に入力される。
【０１７６】
そして、電力送信制御部２１０は、充電部１２０の信号を入力し（Ｓ１００２）、入力された充電部１２０の信号に基づいて直流電力が入力されるか否かを判断する（Ｓ１００４）。
【０１７７】
直流電力が入力されると判断された場合、電力送信制御部２１０は、充電部１２０を制御して直流電力をバッテリ１３０に充電させる（Ｓ１００６）。
【０１７８】
この状態で、電力送信制御部２１０は、バッテリ１３０への直流電力の充電が完了したか否かを判断し（Ｓ１００８）、充電が完了した場合にバッテリ１３０に直流電力を充電させる動作を終了する。
【０１７９】
一方、ステップＳ１００４において直流電力が入力されないか、又はステップＳ１００８において充電が完了していない場合、電力送信制御部２１０は、信号受信部２５０の受信信号を入力し、ＩＤ要求信号が受信されるか否かを判断する（Ｓ１０１０）。
【０１８０】
前記ＩＤ要求信号が受信されたと判断された場合、電力送信制御部２１０は、電力供給スイッチ１４０を開放し、交流／直流コンバータ１１０から出力される直流電力が充電部１２０に入力されないように遮断する（Ｓ１０１２）。そして、電力送信制御部２１０は、固有のＩＤ信号を発生し、発生したＩＤ信号は信号送信部２６０及び電力送信コイル２４０を介して外部に送信される（Ｓ１０１４）。
【０１８１】
そして、電力送信制御部２１０は、送信／受信スイッチ２７０−１、２７０−２、２７０−３、２７０−４を制御して可動端子を他側固定端子ｂ１、ｂ２、ｂ３、ｂ４に接続させ（Ｓ１０１６）、充電部１２０の信号を入力し（Ｓ１０１８）、入力された充電部１２０の信号に基づいて直流電力が入力されるか否かを判断する（Ｓ１０２０）。
【０１８２】
充電部１２０に直流電力が入力される場合、電力送信制御部２１０は、充電部１２０を制御して直流電力をバッテリ１３０に充電させる（Ｓ１０２２）。
【０１８３】
そして、電力送信制御部２１０は、充電部１２０の信号を入力してバッテリ１３０の電力充電状態を判断し（Ｓ１０２４）、バッテリ１３０の電力充電が完了したか否かを判断する（Ｓ１０２６）。
【０１８４】
バッテリ１３０の電力充電が完了していない場合、電力送信制御部２１０は、第１信号送信部１８０を制御してバッテリ１３０の現在の電力充電状態を含む充電状態信号を発生し、発生した充電状態信号は電力送信コイル２４０を介して外部に送信され（Ｓ１０２８）、ステップＳ１０２４に戻り、バッテリ１３０の電力充電状態を判断する動作を繰り返し行う。
【０１８５】
この状態でバッテリ１３０の電力充電が完了すると、電力送信制御部２１０は、バッテリ１３０の電力充電完了情報を含む充電状態信号を発生し、発生した充電状態信号は電力送信コイル２４０を介して外部に送信される（Ｓ１０３０）。
【０１８６】
そして、電力送信制御部２１０は、充電部１２０がバッテリ１３０に電力を充電させないように制御し（Ｓ１０３２）、電力充電動作を終了する。
【０１８７】
一方、ステップＳ１０１０において、ＩＤ要求信号が受信されていない場合、電力送信制御部２１０は、送信／受信スイッチ２７０−１、２７０−２、２７０−３、２７０−４を制御して可動端子を一側固定端子ａ１、ａ２、ａ３、ａ４に接続させ（Ｓ１０３４）、電力送信動作を行う（Ｓ１０３６）。
【０１８８】
ここで、電力送信部２００が無線で電力を送信する動作は、前述した一実施形態と同様であるので具体的な説明は省略する。
【０１８９】
このような本発明のさらに他の実施形態を説明する上で、電力送信制御部２１０がバッテリ１３０に電力を充電させる動作と、電力送信コイル２４０を介して無線で電力を送信する動作を分けて説明した。
【０１９０】
しかし、電源プラグＰを介して入力される交流電力を用いてバッテリ１３０に直流電力を充電させる場合、電力送信制御部２１０が、バッテリ１３０に電力を充電させる動作と、電力送信コイル２４０を介して無線で電力を送信する動作が同時に行われるように構成することもできる。
【０１９１】
以上、代表的な実施形態により本発明を詳細に説明したが、本発明の属する技術の分野における通常の知識を有する者であれば、本発明の範疇から逸脱しない範囲内で前述した実施形態の様々な変形が可能であることを理解するであろう。
【０１９２】
よって、本発明の権利範囲は、前述した実施形態に限定されるものではなく、特許請求の範囲とその均等物により定められるべきである。
【図１】
2015506657.tif 000003
【図２ａ】
2015506657.tif 000004
【図２ｂ】
2015506657.tif 000005
【図２ｃ】
2015506657.tif 000006
【図３】
2015506657.tif 000007
【図４】
2015506657.tif 000008
【図５】
2015506657.tif 000009
【図６ａ】
2015506657.tif 000010
【図６ｂ】
2015506657.tif 000011
【図６ｃ】
2015506657.tif 000012
【図７】
2015506657.tif 000013
【図８】
2015506657.tif 000014
【図９ａ】
2015506657.tif 000015
【図９ｂ】
2015506657.tif 000016
【図９ｃ】
2015506657.tif 000017
【図１０】
2015506657.tif 000018
【国際調査報告】
2015506657.tif 000019
2015506657.tif 000020
2015506657.tif 000021
2015506657.tif 000022